(57)【要約】【課題】  情報記録媒体の所定の領域をレーザ照射しながら確実にランドをピット化して識別情報を記録する。【解決手段】  情報記録媒体の所定の領域にランドとピットをペアで形成する。また、識別情報を記録するレーザはこのペアを照射する。したがって、この領域をレーザ照射すればペアのいずれかとなっているランドは必ずピット化されるので、所定の領域をレーザ照射しながら確実に識別情報を記録できる。なお、ペアのうちの残りのピットには、レーザを照射されてもピットのままである。また、このピットにはレーザを照射してもしなくてもよい。【選択図】        図１
2006004541.tif 000002
【特許請求の範囲】
【請求項１】
所定の変調方式に従って生成されたビット列が記録される記録領域を有し、
前記記録領域内の所定の領域がランドとピットのペアによって形成され、前記ペアのランドに対するレーザ照射によって生じるピット化の有無として所定の識別情報が記録される、
ことを特徴とする情報記録媒体。
【請求項２】
前記所定の変調方式が１７変調であることを特徴とする請求項１記載の情報記録媒体。
【請求項３】
前記所定の領域がフレームシンクを記録していないＤＣ制御ブロック中の所定の領域であることを特徴とする請求項１記載の情報記録媒体。
【請求項４】
前記ランドとピットのペアは、所定のビット列を所定の変調を施すことで得られるランドとピットのペアであることを特徴とする請求項１記載の情報記録媒体。
【請求項５】
前記所定のビット列は、前記所定の変調を施すことで少なくともランドとピットを２つずつ含むビット列に変換されるビット列であることを特徴とする請求項４記載の情報記録媒体。
【請求項６】
前記所定のビット列は、前記所定の変調を施して得られた４つのランドとピットのランレングスが、前記変調方式における最小ランレングス、あるいは、最小ランレングス＋１のランレングスとなるようなビット列であることを特徴とする請求項４記載の情報記録媒体。
【請求項７】
前記所定のビット列は、前記４つのランドとピットのうち内側の２つのランドとピットのランレングスが、前記変調方式における最小ランレングスとなるようなビット列である、ことを特徴とする請求項６記載の情報記録媒体。
【請求項８】
前記所定のビット列は、前記４つのランドとピットの長さが、チャネルビットを単位として（２、２、２、２）、（２、２、２、３）、（３、２、２、２）、（３、２、２、３）のいずれかとなるようなビット列であることを特徴とする請求項６記載の情報記録媒体。
【請求項９】
前記所定のビット列は、前記４つのランドとピットのうち内側の２つのランドとピットの位置が常に同じ位置となるようなビット列であることを特徴とする請求項６記載の情報記録媒体。
【請求項１０】
前記所定のビット列は、前後のビット列に関わらず所定のランドとピットの組み合わせを生成することができるビット列であることを特徴とする請求項４記載の情報記録媒体。
【請求項１１】
前記所定のビット列は、ビット列を２ビットごとに区切った場合に、最初の２ビットが“０１”あるいは“１０”となるビット列であることを特徴とする請求項４記載の情報記録媒体。
【請求項１２】
前記所定のビット列は、ビット列を２ビットごとに区切った場合に、後ろの２ビットが“０１”あるいは“１０”となるビット列であることを特徴とする請求項４記載の情報記録媒体。
【請求項１３】
前記所定のビット列は、ビット列を２ビットごとに区切った場合に、後ろの４ビットが“１１０１”となっていないビット列であることを特徴とする請求項４記載の情報記録媒体。
【請求項１４】
前記所定のビット列は、１０ビットのビット列であることを特徴とする請求項４記載の情報記録媒体。
【請求項１５】
前記所定のビット列は、（０１１００１１１１０）、（１０１００１１１０）、（０１０１０１１１１０）、（１００１０１１１１０）、（０１０１１１０１０１）、（１００１１１０１０１）のいずれかを含むビット列であることを特徴とする請求項４記載の情報記録媒体。
【請求項１６】
情報記録媒体にランドとピットのパターンで現されるビット列を転写するスタンパを形成する際に、前記スタンパにランドとピットのパターンを形成するための原盤を回転駆動する駆動手段と、
前記原盤に記録するビット列を生成するビット列生成手段と、
前記ビット列生成手段により生成されたビット列を前記駆動手段により駆動されている原盤に記録する記録手段とを備え、
前記ビット列生成手段は、所定の変調方式に従って前記情報記録媒体の所定の領域にランドとピットのペアを形成させる、
ことを特徴とするマスタリング装置。
【請求項１７】
前記所定の変調方式が１７変調であることを特徴とする請求項１６記載のマスタリング装置。
【請求項１８】
前記所定の領域がフレームシンクを記録していないＤＣ制御ブロック中の所定の領域であることを特徴とする請求項１６記載のマスタリング装置。
【請求項１９】
前記ランドとピットのペアは、所定のビット列を所定の変調を施すことで得られるランドとピットのペアであることを特徴とする請求項１６記載のマスタリング装置。
【請求項２０】
情報記録媒体にランドとピットのパターンで現されるビット列を転写するスタンパを形成するためのマスタリング方法であって、
前記スタンパにランドとピットのパターンを形成するための原盤を回転駆動する駆動ステップと、
前記原盤に記録するビット列を生成するビット列生成ステップと、
前記ビット列生成ステップにより生成されたビット列を前記駆動ステップにより駆動されている原盤に記録する記録ステップとを備え、
前記ビット列生成ステップは、所定の変調方式に従って前記情報記録媒体の所定の領域にランドとピットのペアを形成させる、
ことを特徴とするマスタリング方法。
【請求項２１】
前記所定の変調方式が１７変調であることを特徴とする請求項２０記載のマスタリング方法。
【請求項２２】
前記所定の領域がフレームシンクを記録していないＤＣ制御ブロック中の所定の領域であることを特徴とする請求項２０記載のマスタリング方法。
【請求項２３】
前記ランドとピットのペアは、所定のビット列を所定の変調を施すことで得られるランドとピットのペアであることを特徴とする請求項２０記載のマスタリング方法。
【請求項２４】
所定の変調方式で得られたビット列を変更して情報記録媒体の識別情報を記録する際に、前記情報記録媒体からランドとピットのペアが記録されている所定の領域を検出する領域検出手段と、
前記所定の領域に対して、識別情報のビット値に応じてスイッチングされるレーザを照射することで前記ランドをピット化して識別情報を追記する記録制御手段と、
を有することを特徴とする情報記録装置。
【請求項２５】
前記所定の変調が１７変調であることを特徴とする請求項２４記載の情報記録装置。
【請求項２６】
前記所定の領域がフレームシンクを記録していないＤＣ制御ブロック中の所定の領域であることを特徴とする請求項２４記載の情報記録装置。
【請求項２７】
前記ランドとピットのペアは、所定のビット列を所定の変調を施すことで得られるランドとピットのペアであることを特徴とする請求項４記載の情報記録装置。
【請求項２８】
所定の変調方式で得られたビット列を変更して情報記録媒体の識別情報を記録する際に、前記情報記録媒体からランドとピットのペアが記録されている所定の領域を検出する領域検出ステップと、
前記所定の領域に対して、識別情報のビット値に応じてスイッチングされるレーザを照射することで前記ランドをピット化して識別情報を追記する記録制御ステップと、
を有することを特徴とする情報記録方法。
【請求項２９】
前記所定の変調が１７変調であることを特徴とする請求項２８記載の情報記録方法。
【請求項３０】
前記所定の領域がフレームシンクを記録していないＤＣ制御ブロック中の所定の領域であることを特徴とする請求項２８記載の情報記録方法。
【請求項３１】
前記ランドとピットのペアは、所定のビット列を所定の変調を施すことで得られるランドとピットのペアであることを特徴とする請求項２８記載の情報記録方法。
【請求項３２】
情報記録媒体に記録されたビット列を変更することで前記情報記録媒体の識別情報を再生する際に、前記情報記録媒体からランドとピットのペアが記録されている所定の領域を検出する領域検出手段と、
前記所定の領域から再生されたビット列から識別情報のビット値を検出するビット値検出手段と、
を有することを特徴とする情報再生装置。
【請求項３３】
情報記録媒体に記録されたビット列を変更することで前記情報記録媒体の識別情報を再生する際に、前記情報記録媒体からランドとピットのペアが記録されている所定の領域を検出する領域検出ステップと、
前記所定の領域から再生されたビット列から識別情報のビット値を検出するビット値検出ステップと、
を有することを特徴とする情報再生方法。
【発明の詳細な説明】
【技術分野】
【０００１】
本発明は、識別情報が記録される情報記録媒体と、この情報記録媒体を作成するためのマスタリング装置及び方法と、情報記録媒体に情報を記録する情報記録装置及び方法と、情報記録媒体から識別情報を再生する識別情報再生装置及び方法に関する。
【背景技術】
【０００２】
まず、青色レーザを用いた大容量情報記録媒体として用いられるブルーレイディスク（以下、ＢＤという）の読み取り専用（ＲＯＭ）ディスクのフォーマットについて説明する。
このＢＤのＲＯＭフォーマットは、階層化されたものであり、その最上位の階層ではフィジカルクラスタ部とリンキング部に分かれている。このうち、フィジカルクラスタ部はそれぞれ１６個のアドレスユニットによって構成されており、また、各アドレスユニットは３１個のデータフレームで構成されている。
データフレームは、各々ＥＣＣクラスタと呼ばれるユーザデータを記録する領域と、ＢＩＳクラスタと呼ばれるアドレスデータ、あるいは、ユーザコントロールデータを記録する領域で構成されている。また、ＢＩＳクラスタのうちアドレスデータを記録する領域は、各アドレスユニット中の最初の３つのデータフレームに含まれており、残りのデータフレームにあるＢＩＳクラスタでは、ユーザコントロールデータの領域となっている。
各データフレームは、先頭２０ビットのブロックとして、４５ビットずつのブロックに、計２８ブロックに分割されている。各ブロックには終端に１ビットのＤＣ制御ビットが付加されている。このビットでは、変調後のビットの出現割合に対応付けられているＤＳＶの絶対値が０に近づくようにビット値が制御されている。
このようにして得られたビット列は、フレーム番号などに応じて用意されたフレーム同期信号に続いて、１７変調テーブルに基づいて変調を施されながら１７ｐｐ変調ビット列に変換される。そして、この１７変調テーブルを用いて変調されたビット列は、０又は１でパルスの正負を反転させるＮＲＺＩのビット列となっている。このため、実際には、ＮＲＺＩ信号が、ＮＲＺＩ−ＮＲＺ変換によって０、１がピットあるいはランドに１：１で対応するように変換された信号が媒体上に記録される。
なお、リンキング部は、フィジカルクラスタ部にはないフレーム同期信号を先頭に、フィジカルクラスタ部と同様なフレーム構成のデータが２フレーム記録される。
【０００３】
ところで、このような光ディスクでは、たとえば著作権管理等のために、量産される再生専用媒体に媒体毎に異なる識別情報を追記することが必要となることがある。
そして、これを実現する方法として、例えば、情報記録媒体のトラック上のランド部に高出力の光ビームを照射することで、読み取り光を反射する反射膜を溶かして反射率を下げ、擬似的にピットを形成するという方法が知られている。
例えば、ブロック単位で変調されてデータが記録された情報記録媒体において、所定ブロックの一部のビットを高出力のビームによって変化させ、残りのビットが固定されたままとなるように記録する方法が提案されている（例えば、特許文献１参照）。
【特許文献１】特開２００３−１４１８２１号公報
【発明の開示】
【発明が解決しようとする課題】
【０００４】
しかしながら、前記従来技術では、ある記録領域に対して、この擬似的にピットを形成する記録方法を行おうとすると、その記録領域に常にランドがあることが必要となるため、情報記録媒体を作成する際に、ランドが存在する記録領域を適宜に形成する必要があり、作成工程が煩雑になるという問題があった。
本発明は、以上のような課題に鑑みてなされたものであり、その目的は、識別情報を記録する領域に必ずランドが出現するような形式で容易に作成を行うことができ、識別情報を確実に記録することが可能な情報記録媒体、ならびに、その情報記録媒体を作成するためのマスタリング装置、識別情報記録装置、識別情報再生装置、及びそれらの方法を提供することにある。
【課題を解決するための手段】
【０００５】
上述の目的を達成するため、本発明の情報記録媒体は、所定の変調方式に従って生成されたビット列が記録される記録領域を有し、前記記録領域内の所定の領域がランドとピットのペアによって形成され、前記ペアのランドに対するレーザ照射によって生じるピット化の有無として所定の識別情報が記録されることを特徴とする。
【０００６】
また、本発明のマスタリング装置は、情報記録媒体にランドとピットのパターンで現されるビット列を転写するスタンパを形成する際に、前記スタンパにランドとピットのパターンを形成するための原盤を回転駆動する駆動手段と、前記原盤に記録するビット列を生成するビット列生成手段と、前記ビット列生成手段により生成されたビット列を前記駆動手段により駆動されている原盤に記録する記録手段とを備え、前記ビット列生成手段は、所定の変調方式に従って前記情報記録媒体の所定の領域にランドとピットのペアを形成させることを特徴とする。
また、本発明のマスタリング方法は、情報記録媒体にランドとピットのパターンで現されるビット列を転写するスタンパを形成するためのマスタリング方法であって、前記スタンパにランドとピットのパターンを形成するための原盤を回転駆動する駆動ステップと、前記原盤に記録するビット列を生成するビット列生成ステップと、前記ビット列生成ステップにより生成されたビット列を前記駆動ステップにより駆動されている原盤に記録する記録ステップとを備え、前記ビット列生成ステップは、所定の変調方式に従って前記情報記録媒体の所定の領域にランドとピットのペアを形成させることを特徴とする。
【０００７】
また、本発明の情報記録装置は、所定の変調方式で得られたビット列を変更して情報記録媒体の識別情報を記録する際に、前記情報記録媒体からランドとピットのペアが記録されている所定の領域を検出する領域検出手段と、前記所定の領域に対して、識別情報のビット値に応じてスイッチングされるレーザを照射することで前記ランドをピット化して識別情報を追記する記録制御手段とを有することを特徴とする。
また、本発明の情報記録方法は、所定の変調方式で得られたビット列を変更して情報記録媒体の識別情報を記録する際に、前記情報記録媒体からランドとピットのペアが記録されている所定の領域を検出する領域検出ステップと、前記所定の領域に対して、識別情報のビット値に応じてスイッチングされるレーザを照射することで前記ランドをピット化して識別情報を追記する記録制御ステップとを有することを特徴とする。
【０００８】
また、本発明の情報再生装置は、情報記録媒体に記録されたビット列を変更することで前記情報記録媒体の識別情報を再生する際に、前記情報記録媒体から所定のランドとピットのペアが記録されている領域を検出する領域検出手段と、前記所定の領域から再生されたビット列から識別情報のビット値を検出するビット値検出手段とを有することを特徴とする。
また、本発明の情報再生方法は、情報記録媒体に記録されたビット列を変更することで前記情報記録媒体の識別情報を再生する際に、前記情報記録媒体から所定のランドとピットのペアが記録されている領域を検出する領域検出ステップと、前記所定の領域から再生されたビット列から識別情報のビット値を検出するビット値検出ステップとを有することを特徴とする。
【発明の効果】
【０００９】
本発明の情報記録媒体によれば、所定の記録領域の一部のビットを変化させることで識別情報を記録する情報記録媒体において、識別情報の記録領域がランドとピットのペアとなっているので、照射される記録レーザは必ずランドをピット化でき、識別情報を記録することができる。なお、ピットは、照射されてもピットのままである。このため、識別情報を記録するための構成が簡単となり、識別情報の記録が容易化できる効果がある。
また、本発明のマスタリング装置及び方法によれば、マスタリングによって情報記録媒体の所定の領域にランドとピットのペアを形成させることから、この情報記録媒体の所定の領域に識別情報を記録する場合に、簡単な構成及び制御によって実現でき、容易に識別情報を記録する情報記録媒体を作成することができる効果がある。
また、本発明の情報記録装置及び方法によれば、情報記録媒体からランドとピットのペアが記録されている所定の領域を検出し、この所定の領域に対して、識別情報のビット値に応じてスイッチングされるレーザを照射することでランドをピット化して識別情報を追記するようにしたので、簡単な構成及び制御によって情報記録媒体に識別情報を記録することができる効果がある。
また、本発明の情報再生装置及び方法によれば、情報記録媒体の識別情報を再生する際に、情報記録媒体からランドとピットのペアが記録されている所定の領域を検出し、この所定の領域から再生されたビット列から識別情報のビット値を検出することから、簡単な構成及び制御によって情報記録媒体から識別情報を再生することができる効果がある。
【発明を実施するための最良の形態】
【００１０】
本発明の実施の形態による情報記録媒体は、例えば１７変調方式等に従って生成されたビット列が記録されたものであり、その識別情報が、例えばフレームシンクを記録していないブロック（ＤＣ制御ブロック）中の所定の領域に形成されたランドとピットのペアのランドに対するレーザ照射によって生じるピット化の有無として記録されたものである。
このランドとピットのペアは、所定のビット列を上述の１７変調等を施すことで得られるものである。
また、所定のビット列とは以下のようなものとする。
まず、所定のビット列とは１７変調等を施すことで、少なくともランドとピットを２つずつ含むビット列に変換されるビット列である。
また、所定のビット列とは、１７変調等を施して得られた４つのランドとピットのランレングスが、この１７変調方式における最小ランレングス、あるいは、最小ランレングス＋１のランレングスとなるようなビット列であり、また、この４つのランドとピットのうちの内側の２つのランドとピットのランレングスが、１７変調方式における最小ランレングスとなるようなビット列である。そして、この場合、所定のビット列は、４つのランドとピットの長さが、チャネルビットを単位として（２、２、２、２）、（２、２、２、３）、（３、２、２、２）、（３、２、２、３）のいずれかとなるようなビット列である。
さらに、所定のビット列は、前記４つのランドとピットのうち内側の２つのランドとピットの位置が常に同じ位置となるようなビット列となっている。
また、所定のビット列は、前後のビット列に関わらず、上述したランドとピットの組み合わせを生成することができるようなビット列である。また、ビット列を２ビットごとに区切った場合に、最初の２ビットが“０１”あるいは“１０”となるビット列であり、後ろの２ビットが“０１”あるいは“１０”となるビット列である。ただし、後ろの４ビットが“１１０１”となっていないものとする。
また、所定のビット列は、１０ビットのビット列であり、（０１１００１１１１０）、（１０１００１１１０）、（０１０１０１１１１０）、（１００１０１１１１０）、（０１０１１１０１０１）、（１００１１１０１０１）のいずれかを含むものとする。
【００１１】
また、本実施の形態は、情報記録媒体にランドとピットのパターンで現されるビット列を転写するスタンパを形成するためのマスタリング装置及び方法において、１７変調等に従って情報記録媒体のＤＣ制御ブロック中の所定の領域にランドとピットのペアを形成させる。
また、本実施の形態は、１７変調等で得られたビット列を変更して情報記録媒体の識別情報を記録する情報記録装置及び方法において、ＤＣ制御ブロック中の所定の領域にランドとピットのペアが形成された情報記録媒体から、ランドとピットのペアが記録されている所定の領域を検出し、この領域に対して識別情報のビット値に応じてスイッチングされるレーザを照射することで、ランドをピット化して識別情報を追記する。
また、本実施の形態は、１７変調等で得られたビット列を変更することで情報記録媒体の識別情報を再生する情報再生装置及び方法において、識別情報が記録されている情報記録媒体から所定のランドとピットのペアが記録されている領域を検出し、この領域で再生されたビット列から識別情報のビット値を検出する。
【実施例１】
【００１２】
図１は本発明の実施例による情報記録媒体のフォーマットの一部を示す説明図であり、フィジカルクラスタ部とリンキング部の構成を表している。
図示のように、本実施例に用いられる情報記録媒体のフォーマットは、最上位の階層でフィジカルクラスタ部１０とリンキング部２０に分かれており、所定の１つあるいは複数のフィジカルクラスタ部１０を、識別情報を記録するための専用のクラスタとして用いるものとする。
【００１３】
図２は、フィジカルクラスタ部の構成を示す説明図である。
図示のように、このフィジカルクラスタ部２０は、それぞれ１６個のアドレスユニット２１によって構成されている。ここで、各アドレスユニット２１は、３１個のデータフレーム２２で構成されている。図３はデータフレームの構成を示す説明図である。各データフレーム２２は、ＥＣＣクラスタと呼ばれるユーザデータの領域２１１と、ＢＩＳクラスタと呼ばれるアドレスデータ、あるいは、ユーザコントロールデータの領域２１２で構成されている。
また、ＢＩＳクラスタのうちアドレスデータの領域は、各アドレスユニット中の最初の３つのデータフレームに含まれており、残りのデータフレームにあるＢＩＳクラスタは、通常ユーザコントロールデータの領域となっている。本実施例で識別情報を記録する部分ではユーザコントロールデータは必要ではなく、アドレスがわかれば充分である。そこで、本実施例では、フィジカルクラスタの各ユニットにおいて、アドレスデータを含んでいない２８列のデータフレームを、識別情報を記録する専用のフレームとして用いるものとする。
【００１４】
図４は、データフレームをブロックに分割する様子を示す説明図である。
図示のように、１つのデータフレーム２２は、先頭の２０ビットのデータを１つのブロック２２１とし、後続のデータを４５ビットずつのブロック２２２、２２３、……２４８に分け、計２８ブロックに分割されて構成される。
図５は、分割された各ブロックにフレーム同期信号とＤＣ制御ビットを加えたものを示す説明図である。図示のように、データフレームの先頭にフレーム同期信号２４９が付加され、各ブロックには終端に１ビットのＤＣ制御ビット２５０が付加されている。このビット２５０では、変調後のビットの出現割合に対応付けられているＤＳＶの絶対値が０に近づくようにビット値が制御されている。また、フレーム同期信号２４９の部分では情報は記録できない。
本実施例では、識別情報を記録するためのビット列を１０ビット（変調する前において）としているので、この長さのビット列であれば、各ＤＣ制御ブロックに収めることができる。そこで本実施例では、フレーム同期信号を記録するブロックを除いたブロックの先頭部分を１０ビットの識別情報を記録するための領域として用いるものとする。
図６は、各ブロックの先頭に識別情報（ＵＩＤ）２６０を記録する領域を設けている場合のフレーム構成を示す説明図である。このようにして、本実施例における識別情報を記録する領域を用意する。
【００１５】
なお、以上のようにして得られたビット列は、フレーム番号などに応じて用意されたフレーム同期信号に続いて、１７変調テーブルに基づいて変調を施されながら１７ｐｐ変調ビット列に変換される。図７は、１７変調の変調テーブルを表している。ただし、図７におけるｘｘとは、ｘが０か１のいずれかの値を任意に取るものとする。また、ｆｓとはフレームシンクを表しているものとする。また、図８はフレーム同期信号を表している。ただし、図８における＃は、このフレームシンクになる前の変調前のビット列が００、あるいは、００００であったときのみに、１となって、それ以外では０となるものである。
【００１６】
図９は本実施例における識別情報を記録する領域に配置するビット列を示す説明図である。図９では、そのようなビット列を４種類用意して順にＵＩＤ０，１，２，３とした。これらは、図７に示した１７変調に従って、最初の３ビットは前後のパターンに依存したｘｘｘに、それ以降の１２ビットは、３Ｔ−２Ｔ−２Ｔ−３Ｔ、２Ｔ−２Ｔ−２Ｔ−３Ｔを含むビット列に変換されていることがわかる。
以上のようにして、識別情報が記録できるビット列を用意する。さらに、このビット列のうち、内側の２Ｔ−２Ｔの位置は常に先頭より８ビット目となっている。したがって、ブロックの先頭から第８ビット目から１１ビット目までが識別情報が記録される領域となることが分かる。なお、この例では、識別情報が記録できるビット列の例を４つ挙げている。これらは、秘匿性を高めるためにランダムにどれかを選んで前記の領域に用いることができる。また、秘匿性を必要としていなければ、これらの中から一つだけ用いても良い。なお、識別情報を記録する位置を可変にしたりする場合には、さらに多くのビット列も考えられる。
【００１７】
以上のようにして生成されたＮＲＺで表現されている記録用のビット列は、一旦、ＮＲＺ−ＮＲＺＩ変換によって、ＮＲＺ方式で表現されるビット列に変換される。最後に、変換されたビット列における０がピット、１がランドに対応するようにフォーマット装置によって情報記録媒体に記録される。なお、図１０は、ＮＲＺで書かれた識別情報記録用のビット列をＮＲＺＩで書かれた識別情報記録用のビット列にして表した図である。この図１０で変調ビット列（ＮＲＺ）のテーブルに書かれたｘｘｘは、変調前のビットのパターンに依存する部分であり、本実施例で識別情報を記録するための領域には無関係に０あるいは１の任意の所定のビット列となる。また、右側のビット列（ＮＲＺＩ）のテーブルに書かれたｘｘｘは、ＮＲＺのｘｘｘに応じて決定するビット列である。図に示したように、ビット列の所定の位置に２Ｔ−２Ｔのランド、ピットの組み合わせが出現していることが分かる。
以上のようにすることで、フレームシンクを有さないブロックの第８ビット目から第１１ビット目において、２Ｔ−２Ｔのランド、ピットのペアを形成できる。
【００１８】
次に、この情報記録媒体の製造方法について説明する。
図１１は本実施例における情報記録媒体の製造工程を示すブロック図である。
図示のように、本実施例における情報記録媒体の製造方法は、ガラス原盤３００に対し、レジスト塗布工程３０１、カッティング（フォーマッタ）工程３０２、現像定着工程３０３、金属原盤（金型）作成工程３０４を経て金属原盤の作成が行われる。
ここで、レジスト塗布工程３０１は、ガラス原盤３００にフォトレジストを塗布する工程であり、カッティング工程３０２は、フォトレジストにビット列に応じてスイッチングされるレーザを照射して凹凸のパターンを記録する工程である。この場合のビット列には、ユーザが記録したい情報（ユーザ情報）３１１や本実施例の特徴となる識別情報用のクラスタ３１２が含まれることになる。また、現像定着工程３０３は、原版上で前記凹凸のパターンを記録したレジストを現像処理して原盤上に定着処理する工程であり、金属原盤作成工程３０４は、前記原盤の表面に電解めっきを施こして金属原盤（金型）を作成する工程である。
【００１９】
次に、作成された金属原盤をもとに、スタンパ作成工程３０５、基板形成工程３０６を経て、ディスク基板が形成される。ここで、スタンパ作成工程３０５とは、金属原盤を元にスタンパを製造する工程であり、また、基板形成工程３０６は、成形金型内にスタンパを配置して、射出成型機を用いてポリカーボネートやアクリル等の透明樹脂によりディスク基板を形成する工程である。このように作製されたディスク基板には、カッティング工程で原盤に形成されたランドとピットのパターンが転写されている。
次いで、反射膜形成工程３０７では、ディスク基板のピットパターンが形成された面に、スパッタ等により反射膜が形成される。本実施例における情報記録媒体は、この反射膜に識別情報を記録する。なお、本実施例を実現するためには、この反射膜は、通常のビット情報以外に、熱記録によって識別情報も記録できる反射膜でなければならない。したがって、この反射膜には、一般的な反射膜の組成となるアルミニウムの他に、別の元素を混ぜて合金とした反射膜を用いる。そして最後に、保護膜塗布工程３０８によって、保護膜が形成される。この工程は、反射膜上に紫外線硬化型樹脂をスピンコートによって塗布して、紫外線を照射することによってなされる。なお、このように形成された情報記録媒体は、保護膜側から読み取り用のレーザ光を照射して情報の再生が行うことができる。
【００２０】
本実施例におけるマスタリング方法およびマスタリング装置は、図１１のカッティング工程に関するものである。図１１のカッティング工程３０２においてフォトレジスタに照射されるレーザ光は記録したいビット列に応じてスイッチングされる。このスイッチングの情報のソースとなる装置は、通常ＰＣなどに配置されている外部記憶装置から出力される変調済みのビット列である。
ここで、本実施例におけるマスタリング方法およびマスタリング装置では、上述の外部記憶装置は、通常のユーザ情報３１１を表すビット列を記憶した外部記憶装置と、識別情報３１２を記録するためのビット列を記憶した別の外部記憶装置と、これを切り替えする切替え装置で構成されているとする。ただし、この切替え装置は、通常、レーザのスイッチング装置と、ユーザ情報を記憶した外部記憶装置が接続されるように設定してあるが、識別情報を記録する所定のフィジカルクラスタ領域では、レーザのスイッチング装置と、識別情報を記録するためのビット列が記憶されている外部記憶装置が接続されるように設定される。このようにして、所定のフィジカルクラスタにおいて、識別情報を記録するためのビット列が記録される。
また、マスタリング方法およびマスタリング装置の別の例としては、通常のユーザ情報を表すビット列に所定のフィジカルクラスタのみを識別情報を記録するためのビット列として置き換えたビット列を記憶した外部記憶装置と、レーザのスイッチング装置が接続されているものとしてもよい。この場合は、前記外部記憶装置に記憶されているビット列そのものが、本実施例におけるマスタリング方法およびマスタリング装置を実現するための主要な部分を含んでいることになる。
【００２１】
図１２は、本実施例における識別情報の記録装置及び記録方法を模式的に示すブロック図である。
本実施例における識別情報の記録装置および記録方法は、識別情報ビット列４０１を入力して誤り訂正符号を付け加える誤り訂正付加部分４０２、誤り訂正符号を付け加えた識別情報ビット列を変調する変調部分４０３、所定のタイミングで識別情報記録用のパルス信号を出力するフォーマッタ４０４、そして、レーザパルスを発して実際に識別情報を記録するライタ４０５によって構成されている。
【００２２】
例えば、図示のように、識別情報が２０００ビットの情報であったとする。この情報はまず誤り訂正符号化回路によって、誤り訂正用のビットが付け加えられる。このような誤り訂正符号化回路の例として、リード・ソロモン符号化のアルゴリズムを用いた回路が考えられる。このようにして、誤り訂正用のビットを有するたとえば３０００ビットの識別情報が生成される。次に、３０００ビットの変調を考える。ここでは、たとえば“０”を“０１”に、“１”を“１０”に変換するという変調を考える。このようにすることで、識別情報は６０００ビットとなる。
【００２３】
一方、記録用のパルス信号を発生するライタ４０５は、記録用媒体４０６に記録されているビット情報を検出する部分４０５Ｂと、検出された情報に基づいて識別情報を記録する記録部分４０５Ａに二分して構成されている。
図１３は、本実施例におけるライタの構成を示すブロック図である。
まず、ビット情報を検出する部分は、通常の再生装置と同じ構成となっている。
この部分は、図示しない読み取りレーザによって媒体４０６からの反射情報を元に得られた再生信号からクロックを再生するクロック発生回路（図示せず）と、再生信号からビット情報を検出するＰＲＭＬデータ検出回路４０７と、再生信号をデコードするデコーダ４０８と、再生信号のエラー符号処理を行うＥＣＣ４０９と、このＥＣＣ４０９をバイパスするバイパスＳＷ４１０等を有して構成されている。これらの構成は通常の再生装置と同じものとしてよい。
一方、識別情報を記録する部分は、前記の再生装置に付加的な識別情報記録回路を用意することで構成される。この部分は、データ検出回路４０７から出力されたビット列を元に、識別情報を記録するための特別なフィジカルクラスタ部を検出する記録領域検出部４１１と、レーザ照射のスイッチングを司るパルス信号を出力するためのパルス発生部４１２によって構成される。
【００２４】
識別情報を記録するための特別なフィジカルクラスタ部を検出するには、例えば、フィジカルクラスタ部に先頭部分に特殊なビット列を記録しておく。記録装置側にもこの特殊なビット列を記憶しておけば、記録装置は、再生されたビット列からパターンマッチするビット列を探索して、容易にこの位置を検出することができる。
そして、この先頭部分が検出された後は、所定のタイミングでレーザ照射のスイッチングをさせるためのパルス信号を出力すればよい。パルス信号は、所定の照射領域に対して対応する識別情報のビット値に応じて、レーザ照射をスイッチングする信号である。このパルス信号のうち最初に発生するものは、アドレス情報を含まない最初のフレームで発生する。その後、クラスタ内の偶数番目のブロックの先頭から８番目から１１番目にかけてレーザ照射できるように、識別情報のビット値に応じてスイッチングするような信号を作る。すなわち、アドレス情報を含まないフレームにおける第７７番目のビットから１３８ビットごとに４ビットの長さで識別情報のビット値に応じた記録レーザのスイッチング信号を出力する。
【００２５】
図１４は、図１０で生成されているビット列に識別情報を記録した場合の様子を表している。
識別情報のビット値（ＵＩＤｃｏｄｅ）が０の場合は、記録レーザを照射しないため、ビット値は図１０のままである。一方、識別情報のビット値が１の場合は、記録レーザを照射した結果、２Ｔのランド（‘０１１０’）が消滅して（‘００００’）となる。このようにして、識別情報のビット値を２Ｔランドの有無によって記録することができる。
【００２６】
なお、本構成では、ブロックの８番目から１１番目のビットにあるランドとピットのペアがあるということしかわかっていないという前提において、ブロックの８番目から１１番目のビットで構成されるランドとピットのペアをレーザ照射すること構成となっている。もし、このランドとピットのいずれか前に来ていずれが後ろに来るかがわかっていれば、さらにこのペアのうちランドのみに限定してレーザを照射することも可能である。
このようにするには、たとえば、再生したビット列から、前記領域のランドとピットの位置を確認する方法が考えられる。また、前記レーザ照射領域の前に反転制御用のビットを用意して前記照射領域のランドとピットの順番が常に同じとなるように制御する方法なども考えられる。
【００２７】
次に、この識別情報を記録した媒体から識別情報を再生する方法を説明する。
図１５は、本実施例における識別情報を再生する再生方法及び再生装置の一例を示している。
この再生装置は、記録用媒体４０６に記録されているビット情報を検出するビット検出部（ＤｒｉｖｅＬＳＩ）５１０と、検出された情報から識別情報を検出する識別情報検出部（ＵＩＤ  ＬＳＩ）５２０に二分して構成されている。
まず、ビット検出部５１０は、通常の再生装置と同じ構成となっている。
すなわち、この部分は、図示しない読み取りレーザの媒体からの反射情報を元に得られた再生信号からクロックを再生するクロック発生回路（図示せず）と、ビット情報を検出するＰＲＭＬデータ検出回路５１１と、再生信号をデコードするデコーダ５１２と、再生信号のエラー符号処理を行うＥＣＣ５１３と、このＥＣＣ５１３をバイパスするバイパスＳＷ５１４等を有し、再生データはＣＰＵ５３０のメモリ５３１に出力される。これらの構成は全て、通常の再生装置と同じものとしてよい。
一方、識別情報検出部５２０は、前記の再生装置に付加的な識別情報再生回路を用意することで構成される。この部分は、データ検出回路５１１から出力されたビット列を元に、識別情報が記録されている特別なフィジカルクラスタ部を検出するクラスタ検出部５２１と、検出された領域において所定の領域に記録されている識別情報を検出する識別情報検出部５２２によって構成される。
【００２８】
識別情報を記録した特別なフィジカルクラスタ部を検出するには、例えば、フィジカルクラスタ部に先頭部分に特殊なビット列を記録しておく。再生装置側にもこの特殊なビット列を記憶しておくことで、再生されたビット列からパターンマッチによってこのクラスタの先頭のビット列を探索して、容易にこの位置を検出することができる。
先頭部分が検出されたあとは、クラスタを構成するフレーム中の各ブロックの先頭（先頭より８ビットから１１ビット目まで）のランドとピットのペアの状態がどうなっているかを検出すればよい。もし、この領域がランドとピットのペアのままであれば、識別情報のビット値は０であり、また、もし、この領域がピットしかなければ、識別情報のビット値は１である。実際の論理回路では、図１４に示されている識別情報（ＵＩＤ）のビット値とビット列の対応を示すテーブルを用いる。
【００２９】
図１６は、本実施例における識別情報を再生する再生方式及び再生装置の別の例を示している。この再生方式及び再生装置の構成は、記録用媒体に記録されているビット情報を検出するビット検出部５４０と、検出された情報から識別情報を検出する識別情報検出部５５０に二分して構成されているが、識別情報検出部５５０がＣＰＵ５６０内に設けられている。なお、最初のビット検出部５４０は、通常の再生装置と同じ構成となっており、図１４の例と同様に、ＰＲＭＬデータ検出回路５４１、デコーダ５４２、ＥＣＣ５４３、バイパスＳＷ５４４を含んでいる。
一方、識別情報検出部５５０は、検出されたビット情報を入力するＣＰＵ５６０の内部でソフト的に実現されるものであり、クラスタ検出部５５１、識別情報検出部５２２を含んでいる。すなわち、ＣＰＵ５６０では、このクラスタの先頭部分のビットパターンが１７変調を受けないビット列で記憶されており、また、識別情報のビット値に応じたビットパターンも１７変調を受けないビット列で記憶されている。ＣＰＵ５６０では、まず、クラスタの先頭を検出して、次に識別情報を記録した領域でのビット列を検出する。
【００３０】
図１７は、図１４における識別情報の１７変調のパターンをデコードした結果を示している。ただし、識別情報のビット値が１である例のｘｘは、識別情報を記録する前のビット列と同じであることを意味している。本再生装置では、識別情報を記録した領域におけるビット列のパターンをこのテーブルと比較して、近いビット列のパターンを選択する。選択されたビット列に対応する識別情報のビット値をこの部分に記録されている識別情報のビット値とする。
なお、この方法は、ＣＰＵ内で実現できるので実現が容易である。
【００３１】
以上のように、本実施例によれば、所定ブロックの一部のビットを変化させることで識別情報が記録される情報記録媒体において、識別情報の記録領域がランドとピットのペアとなっているので、照射される記録レーザは必ずランドをピット化でき、識別情報を記録することができる。なお、ピットは、照射されてもピットのままである。このため、識別情報の記録装置や再生装置の構成、並びにそれらの制御が簡単となり、識別情報の記録が容易となる。
【図面の簡単な説明】
【００３２】
【図１】本発明を適用した情報記録媒体の信号フォーマットを示す説明図である。
【図２】本発明を適用した情報記録媒体のフィジカルクラスタ部分の構成を示す説明図である。
【図３】本発明を適用した情報記録媒体のデータフレームの構成を示す説明図である。
【図４】本発明を適用した情報記録媒体のデータブロックを示す説明図である。
【図５】本発明を適用した情報記録媒体のパリティ保存の方法を示す説明図である。
【図６】本発明を適用した情報記録媒体の識別情報の記録領域を示す説明図である。
【図７】１７変調テーブルを示す説明図である。
【図８】データフレームの先頭となるフレーム同期のパターンを示す説明図である。
【図９】本発明を適用した情報記録媒体の識別情報を記録する領域におけるＮＲＺＩビットパターンを示す説明図である。
【図１０】本発明を適用した情報記録媒体の識別情報を記録する領域におけるＮＲＺビットパターンを示す説明図である。
【図１１】本発明を適用する情報記録媒体の製造工程を示す説明図である。
【図１２】識別情報を記録する記録装置及び記録方法の一例を示すブロック図である。
【図１３】識別情報を記録する記録装置及び記録方法のうちのライタ部分を示すブロック図である。
【図１４】識別情報を記録された領域における識別情報とビット列の対応表を示す説明図である。
【図１５】識別情報を再生する再生装置及び再生方法の一例を示すブロック図である。
【図１６】識別情報を再生する別の再生装置及び再生方法の他の例を示すブロック図である。
【図１７】識別情報を記録された領域における識別情報と復調されたビット列の対応表を示す説明図である。
【符号の説明】
【００３３】
１０……フィジカルクラスタ部、２０……リンキング部、２１……アドレスユニット、２２……データフレーム、２１１……ユーザデータ領域、２１２……ＢＩＳクラスタ領域、２４９……フレーム同期信号、２５０……ＤＣ制御ビット、２６０……識別情報。
【図１】
2006004541.tif 000003
【図２】
2006004541.tif 000004
【図３】
2006004541.tif 000005
【図４】
2006004541.tif 000006
【図５】
2006004541.tif 000007
【図６】
2006004541.tif 000008
【図７】
2006004541.tif 000009
【図８】
2006004541.tif 000010
【図９】
2006004541.tif 000011
【図１０】
2006004541.tif 000012
【図１１】
2006004541.tif 000013
【図１２】
2006004541.tif 000014
【図１３】
2006004541.tif 000015
【図１４】
2006004541.tif 000016
【図１５】
2006004541.tif 000017
【図１６】
2006004541.tif 000018
【図１７】
2006004541.tif 000019